(57)【要約】      （修正有）【課題】ピッチ修復装置とボールマーカー機能を含み、ゴルフゲームの間、プレーヤーが使用できる装置を提供する。【解決手段】ボールマーカーとピッチ修復部からなるゴルフアクセサリーであり、ボールマーカーは使用者がボールマーカーを滑らせ、引っ張りまたは転がし凹みから出す事ができるようにピッチ修復部の凹みの中に選択的に保持される。そのアクセサリーは開口部を有するゴルフクラブヘッドまたはグリップに配置することに適する。ピッチ修復部はその中にある場合、ゴルフクラブの内側壁を掴むためバネが付いている、又は、傾斜する脚を含んでいる。【選択図】図１
2005253984.tif 000002
【特許請求の範囲】
【請求項１】
ボールマーカー部材の収納箇所を含むアクセサリー装置において、装着時に、前記ボールマーカーの一部が係止できる及び/又は、前記収納箇所から前記ボールマーカーを取り外す際には、前記収納箇所の縁に対して回転できるようになっているアクセサリー装置。
【請求項２】
前記アクセサリー装置は、頭部、シャフト部及び/又はグリップを有するゴルフクラブに対して任意に装着自在であり、前記装置の少なくとも一部はゴルフクラブの上に形成されたまたはゴルフクラブに装着される取付け手段内に受け入れられる、請求項１記載のアクセサリー装置。
【請求項３】
前記取付け手段の頂部は使用者がボールマーカー部材を掴むことのできる凹み部を含む、請求項１記載のアクセサリー装置。
【請求項４】
前記取付け手段は前記凹みの中央部より前記凹みの縁に向かって浅くなるような斜面の壁を有する凹みである、請求項１記載のアクセサリー装置。
【請求項５】
前記ボールマーカー部材の保持性を向上させるために、前記凹みの底は凹みの頂部より狭い請求項４記載のアクセサリー装置
【請求項６】
前記ボールマーカー部材は実質的に平面な円形である、請求項１記載のアクセサリー装置。
【請求項７】
前記ボールマーカー部材はギザギザの縁を持ち、及び/又は、磁性のある、又は磁石に吸引される請求項１記載のアクセサリー装置。
【請求項８】
前記取付け手段はゴルフクラブグリップの前記端部、及び/又は、前記ゴルフクラブの前記頭部にあることを特徴とする、請求項２記載のアクセサリー装置。
【請求項９】
前記アクセサリー装置は前記取付け手段内の穴及び/又はスロットと噛み合う請求項２記載のアクセサリー装置。
【請求項１０】
前記アクセサリー装置の一部の挿入により、少なくともひとつの穴またはスロットが広げられ、前記装置の上に摩擦保持力を与える請求項９記載のアクセサリー装置。
【請求項１１】
前記装置は取付け手段の中に前記装置を保持するための保持手段を含む、請求項２記載のアクセサリー装置。
【請求項１２】
前記保持手段は前記取付け手段の前記内側壁に噛み合う一つ以上の突起、及び/又は保持リングを含む、請求項１１記載のアクセサリー装置。
【請求項１３】
前記取付け手段はお互い噛み合うための溝、及び/又は、ノッチの組合せを含む前記装置とは補完的関係にある保持手段を含む、請求項１１記載のアクセサリー装置。
【請求項１４】
前記装置はピッチ修復部を含む請求項１記載のアクセサリー装置。
【請求項１５】
ゴルフクラブ中に取付け手段が設けてあり、前記ピッチ修復部は前記取付け手段の中にある場合、外から見えない、請求項１４記載のアクセサリー装置。
【請求項１６】
前記ピッチ修復部は一つ以上の脚及び/又は一つの指及び親指サポートを含む、請求項１４記載のアクセサリー装置。
【請求項１７】
前記一つ以上の脚及び/又は指及び親指サポートは使用時の開いた位置と前記ゴルフクラブに噛み合うための閉じた位置の間で可動である、請求項１６に記載のアクセサリー装置。
【請求項１８】
前記脚又は指及び親指サポートは蝶番にて接続され、はさみの動作で動作可能であり、又はそれらの縁の上で前記脚及び/又は指及び親指サポートは重なり合う、請求項１６記載のアクセサリー装置。
【請求項１９】
前記脚は折り畳み自在に、前記装置に蝶番で接続される、請求項１６記載のアクセサリー装置。
【請求項２０】
前記脚は指及び親指サポート上に旋回自在に取り付けられる、請求項１６記載のアクセサリー装置。
【請求項２１】
前記脚は、その自由端が他端に対して、実質的に垂直である、請求項１６記載のアクセサリー装置。
【請求項２２】
前記脚は実質的に前記お互いの位置での動作に影響せずに、前記荷重を受ける方向に厚くなっている、請求項１６記載のアクセサリー装置。
【請求項２３】
前記脚は、閉じた位置から開く位置に付勢される、前記脚を傾けるためのバイアス装置を有する、請求項１６記載のアクセサリー装置。
【請求項２４】
前記装置、及び/又は、取付け手段は前記保持手段を動作させるための引き抜きタブ、及び/又は所定の位置に前記保持手段をロックさせるためのロック機構を有する、請求項１１記載のアクセサリー装置。
【請求項２５】
前記引き抜きタブを働かせると前記保持手段、及び/又は、前記ロック機構を動かし、前記取付け手段から前記装置を外す、請求項２４記載のアクセサリー装置。
【請求項２６】
前記引き抜きタブは取付け手段の前記外側面に対して同一平面、または、沈んだ状態となる、請求項２４に記載のアクセサリー装置。
【請求項２７】
前記ロック機構はバイアス手段によりロックされた状態に付勢されている、請求項２４記載のアクセサリー装置。
【請求項２８】
少なくとも前記ロック機構の一部は、前記保持手段の延長部から成る、請求項２４記載のアクセサリー装置。
【請求項２９】
前記バイアス手段は、閉じた蝶番に接続された楔、及び/又は、リングより成り、前記楔、及び/又は、リングに力が掛かった場合、前記脚が開いた位置に付勢される、請求項２３記載のアクセサリー装置。
【請求項３０】
バイアス手段は前記脚を開く位置に付勢するバネから成り、前記装置は前記脚が開くことを防止するため、閉じた位置で前記脚に囲まれたリングを持つ、請求項２３記載のアクセサリー装置。
【請求項３１】
ボールマーカー保持手段は、使用者が前記ボールマーカー部材に力を加える事により前記位置から前記ボールマーカー部材を取り外す一方、前記力が掛からないのに不意に前記ボールマーカー部材が離脱するのを防止している請求項１記載のアクセサリー装置。
【請求項３２】
前記ボールマーカー保持手段は、ゴルフクラブに前記装置をロックするためのロック機構の一部を形成する、請求項３１記載のアクセサリー装置。
【請求項３３】
前記装置はゴルフクラブの上に形成された取付け手段の中で受け入れられ、又は、ゴルフクラブに取り付けられており、前記凹みから前記ボールマーカーを、及び/又は、前記取付け手段から前記装置を排出するための排出機構が設けられている、請求項１記載のアクセサリー装置。
【請求項３４】
前記排出機構はボタン、バネ、ノブ及び磁石またはその組合せを含む、請求項３３記載のアクセサリー装置。
【請求項３５】
ボトルオープナー、脚固定釘と保持穴、ワイヤストリッパー、鋏運動脚上のナイフ刃、クラブフェイスのネイルまたは溝クリーナー、ぎざぎざ刃、爪とぎ、鋲抜き用具、引き抜き用具、又はその組合せがある請求項１記載のアクセサリー装置。
【請求項３６】
ゴルフクラブシャフトへの取付けグリップにおいて、前記グリップはゴルフアクセサリー装置の取付け手段を含み、前記ゴルフアクセサリー装置はボールマーカー受入れ部を含み、前記装置は前記グリップ、及び/又は、ゴルフクラブシャフトと噛み合う保持手段を含むゴルフクラブシャフトの取付けグリップ。
【請求項３７】
前記ゴルフクラブグリップ及び/又はゴルフクラブシャフトの上方端部はピッチ修復部のための取付け手段により提供される前記空間を最大化するために楕円形である、請求項３６記載のグリップ。
【請求項３８】
キャップ、本体、及びピッチ修復部として働く少なくともひとつの脚を持ち、前記キャップはボールマーカー部材不使用時に、該ボールマーカー部材を受け入れる、及び/又は、取付ける凹みを有するゴルフアクセサリー装置。
【請求項３９】
前記ボールマーカー部材は、使用時に前記凹みから滑り出すことのできる、請求項３８に記載のゴルフアクセサリー装置。
【発明の詳細な説明】
【技術分野】
【０００１】
この出願の発明はピッチ修復装置のような一つ以上の一体的アクセサリーを備えたゴルフクラブに取り付けるに適したボールマーカーホルダーである。
【０００２】
以下の記述は主としてゴルフゲーム中のピッチ修復装置とボールマーカーに関したものであるが、この発明はいかなる種類の場合において使用可能なものであり、本発明はゴルフゲームに限定されるものではないという事が当業者により理解される。
【背景技術】
【０００３】
ゴルフゲームのアクセサリーはドライブティー、パッティングエイド、手押し車のような物が公知である。
【０００４】
ピッチ修復装置はボール着地による地面のぎざぎざを修復するために使用される。一般的に、現在は固定型フォーク形状であり、そのフォークは傷ついた箇所に近い地中に挿入され、その凹みを概ね平らな状態に戻すために使用される。そういう行動は良い修復状態にゴルフコースを準備する事に寄与する。
【０００５】
ゴルフゲームではこの場合でなくても、プレーヤーにとってボールが穴から遠く離れてしまうことはよくある事である。たまに、穴に接近した場合やより遠いボールのライン上にある場合、二つのボールの衝突を避けるため、他のプレーヤーのゴルフボールを移動することが必要である。ボールの場所がゴルフの試合に影響ある場合、ボールの位置を示すために臨時でマーカーが使用される。これらは普通、小円形であるが、他の形状と構成でも良い。衝突の危険が過ぎたら、ボールは所定位置に戻される。
【発明の開示】
【発明が解決しようとする課題】
【０００６】
一般的に、ピッチ修復装置とボールマーカー装置はそれぞれ別々のアクセサリーであり、それらはプレーヤーのポケットまたはゴルフカート中でルーズ運ばれる。しかしながら、ピッチ修復装置はかさばるので、プレーヤーが運ぶのは幾分、不快である。さらに言うと、ボールマーカー装置が小さい過ぎるとそれらは置き忘れられる。したがって、どの装置もゴルフの試合中プレーヤーは容易に取り扱えない。
【０００７】
この発明の目的はピッチ修復装置とボールマーカー機能を含んでゴルフゲームの間、プレーヤーが使用できる装置を供給することである。
【課題を解決するための手段】
【０００８】
この発明の最初の態様として、ボールマーカー部材の保管のための位置を含み、それがその中に存在する場合、そのボールマーカー部分はその位置からそのボールマーカーを取り除くために握ること、及び/又は、その位置の縁に対して回転させることができる。
【０００９】
一つの実施例として、ピッチ修復部が備えられている。代表例として、ピッチ修復部は一つ以上の脚、及び/又は、指及び親指サポートを含んでいる。
【００１０】
一つの実施例として、その位置は凹みであり、ここの中での凹みに対する参照は解説するための目的であり、発明の範囲を限定するように解釈されてはならない。
【００１１】
一つの実施例として、その凹みの下の縁はピッチ修復部の縁により定義される。
【００１２】
好ましくは、その装置はゴルフクラブへ選択して設置することができ、そのゴルフクラブは頭部、シャフト部、及び/又は、グリップを備え、少なくともそのピッチ修復部の部分はゴルフクラブの上に形成されるまたはゴルフクラブに取り付けられる範囲内で受け入れられる。
【００１３】
一つの実施例として、設置位置はゴルフクラブグリップの端部に備えられる。代替の実施例として、取り付け場所は頭部の内部又は頂部である。更なる実施例として、その装置は、ゴルフクラブグリップの内部に少なくともその装置の一部に、保持するための保持装置を含んでいる。
【００１４】
一つの実施例として、ボールマーカーはピッチ修復部の内部または頂部に設置することができ、したがって、ゴルフクラブグリップの頂部に設置される。
【００１５】
一つの実施例として、保持装置は脚に取り付く、傾いた装置であり、その脚はゴルフクラブグリップの内壁または頭部に相互に噛み合っている。
【００１６】
好ましくは、保持装置はゴルフクラブグリップ、及び/又は、グリップの内壁に相互に噛み合う一つ以上の保持リングまたは突起を含んでいる。
【００１７】
一般的に、ゴルフクラブグリップは相互に噛み合うために溝たはノッチのような、その装置に対する補助的な保持装置を含む。
【００１８】
好ましくは、傾いた装置はいかなるバネ、楔、トグル、及び/又は、その他またはいかなる結合であっても良い。
【００１９】
一つの実施例として、開いた位置に脚を傾けるために、閉じた蝶番に繋がる楔またはリングに力が適応される。
【００２０】
さらなる実施例により、脚はバネにより開いた位置まで傾けられ、閉じた位置で脚に囲まれたリングはバネで脚を広げさせるために移動される。
【００２１】
好ましくは、凹みは一つの縁において中央部より浅いように凹みの角が形成される。
【００２２】
好ましくは、凹みの底はボールマーカーの保持を高めるため凹みの頂部より狭い。
【００２３】
好ましくは、ピッチ修復部はゴルフクラブグリップ中に垂直であるスロットの中に部分的に位置し、ボールマーカーはピッチ修復部の中の垂直な凹みの中に位置する。
【００２４】
更なる実施例において、ボールマーカーはゴルフクラブグリップ中に形成される凹みの中に位置する。
【００２５】
好ましくは、ボールマーカーは実質的に平らで円形であり、ぎざぎざが付いた縁を持つ。
【００２６】
ひとつの実施例において、ボールマーカーはバネ座金であり、バネにより働く力はボールマーカーを摩擦により凹みの中に保持する。
【００２７】
好ましくは、ゴルフクラブグリップの凹みはゴルフクラブグリップの縁まで伸びる。
【００２８】
したがって、凹みの中にボールマーカーが置かれる時は、小さい突起を持つだけで、外観上実質的に隠れる。使用者はボールマーカーとかみ合わせるために、ゴルフクラブグリップの端部の上で指を動かし、ゴルフクラブグリップの角に対してボールマーカーを回転させる。凹みはゴルフクラブグリップの角に向かって浅くなるので、ボールマーカーがより露出され、使用者が凹みからボールマーカーを取り出すのを助ける。ひとつの実施例において、凹みは交代でグリップ中に位置する品物にて形成される。
【００２９】
好ましくは、ボールマーカーは磁石に付くように鉄製である。
【００３０】
好ましくは、ボールマーカーは端止め、スプリンググリップ、磁石、側面ステップ、摩擦、及び/又はキャップ及び/又はボールマーカー及び/又はゴルフクラブグリップの盛り上がり部又はその組合せを含む保持装置により保持され、直接、ゴルフクラブグリップ又はピッチ修復部の中で結合した装置を形作る。
【００３１】
ボールマーカーは中央にゴルフクラブグリップと補助保持装置の盛り上がり部とかみ合う穴を持っていてもよい。
【００３２】
一実施例において、盛り上がったストリップまたは側面ステップは滑らす事によりボールマーカーが取り出されるように十分に低く、ボールマーカーが不意に離れるのを防止するために十分高い。
【００３３】
ボールマーカーは使用者が親指でボールマーカーの頂部を滑らせ、ボールマーカーに接触し、回転させる事により凹みから簡単に取り外せる。この水平方向の動作は使用者に取り都合が良い。
【００３４】
一実施例において、その装置は引き抜きタブを含み、ゴルフクラブグリップの外側周辺部に対して同一平面さか凹んでおり、そして、それの頂部に対して同一平面である。
【００３５】
引き抜きタブはグリップからその装置の取り外しを促進し、それらが凹みに置かれると、それらは他のクラブや物の邪魔せずまたはぶつからず、それにより、不意にその装置から離れるのを防ぐ。
【００３６】
一実施例において、引き抜きタブはその装置をゴルフクラブグリップにロックするためのロック機構と接続しており、引き抜きタブを強く握る事によりロック機構を解除させ、ゴルフクラブグリップ及び/又はグリップからその装置を取外させる。
【００３７】
一般的に、保持装置はロック機構の少なくとも一部を形成する。
【００３８】
一般的に、ロック機構は張力の掛かった脚により与えられる力によるロックされた状態に対して傾いている。
【００３９】
引き抜きタブに接続して、この力を与える脚の動きは、ゴルフクラブグリップまたはシャフトに直接保持力を与える脚の動きの原因になる。
【００４０】
一実施例において、ロック機構の少なくとも一部は張力の掛かった脚の伸長により形成させる。
【００４１】
更なる実施例において、ボールマーカー保持装置は、ロック機構の一部を形成する。
【００４２】
更なる実施例において、ゴルフクラブグリップ又はピッチ修復部は凹みからボールマーカーが排出する排出機構を含んでいる。
【００４３】
好ましくは、排出機構はボタン、バネ、ノブ、磁石、及び/又はその他同種の物又は、その組合せを含んでいる。
【００４４】
選択的実施例により、ボールマーカーはゴルフクラブの頭部の凹み内に位置し、前述のように保持される。
【００４５】
一実施例において、脚、及び/又は、指及び親指サポート、及び/又は、かみ合いタブはゴルフクラブグリップの頂部の穴、及び/又は、スロットとお互い噛み合う。
【００４６】
もう一つの実施例において、摩擦力を供給する装置の一部の挿入により広げられる様に割れている。
【００４７】
一般的に、パターのシャフトはピッチ修復部のために与えられる空間を最大にするために楕円形である。
【００４８】
一実施例において、脚と指及び親指サポートはオープン位置とクローズ位置間で動きが可能である。一方、脚、及び/又は、指及び親指サポートは固定されている。
【００４９】
好ましくは、脚、及び/又は、指及び親指サポートは脚及び/又はの端部に蝶番で接続される。または、挟みの動作をする様に、中央の周りに蝶番にて動くように取り付けられる。あるいは、更に脚と指及び親指サポートは重なり合うようにその縁で蝶番として取り付く。
【００５０】
更なる実施例において、脚が潰れてゴルフクラブグリップ開口部に向かって折り畳まれ、蝶番としてその装置に接続される。
【００５１】
脚はゴルフクラブシャフト、及び/又は、グリップの内側表面で邪魔し合うことにより、保持力を高める。
【００５２】
一実施例において、脚は引き抜きタブの動作によりゴルフクラブグリップの内側表面に邪魔にならないように折り畳まれる。
【００５３】
一般的に、脚はピッチ修復の間、過重を防ぐための断面を有する。
【００５４】
更なる実施例において、脚は指及び親指サポート上の中心に置かれる。
【００５５】
一般的に、この装置は最終開脚位置を制御する装置を含む。
【００５６】
一般的に、その装置はその装置とゴルフクラブグリップ又はシャフトの内壁間の摩擦力を作り出す傾斜した装置を含んでいる。
【００５７】
更なる実施例において、指及び親指サポートはゴルフクラブグリップ又はシャフトの中にその装置を挿入するために圧縮を補助する脚の上に置かれる。
【００５８】
代替の実施例において、脚はその自由端が他端に対し、実質的に垂直になるように捻られる。これは挟みの動作にて、自由端が重なり合わせされ、指及び親指サポートの脚の部分を平坦な形状にする。
【００５９】
圧縮特性に顕著に影響されず、荷重を生み出す方向にて、脚はより厚くなる。
【００６０】
一般的に、ピッチ修復部は栓抜き、脚固定釘と保持穴、ワイヤーストリッパー、はさみ運動する脚のナイフの刃、ねじ回し、クラブ面のための釘又は溝クリーナー、キザキザ刃、爪やすり、ブーツ鋲取り除き用具、てこ、またはその組合せを含んでも良い。
【００６１】
この発明の第二の様態において、ゴルフクラブシャフトに取り付けるグリップが備えられ、ゴルフアクセサリー装置のための位置する場所を含み、そのゴルフアクセサリーはボールマーカーを受け入れることができる部分を含み、その中においてその装置はグリップとゴルフクラブシャフトとかみ合う保持装置を含んでいる。
【００６２】
この発明の第三の様態において、キャップ、本体及びピッチ修復部として働く少なくともひとつの脚を持つゴルフアクセサリー装置が与えられ、その中において、キャップはボールマーカーを受け入れる、及び/又は、ボールマーカー部材が使用されていない場合、ボールマーカー部材を位置させる凹みを含んでいる。
【００６３】
一般的に、ボールマーカーは使用者により凹みから滑り出させることができる。
【００６４】
本発明の第四の様態により、ゴルフアクセサリー装置は少なくとも部分的にボールマーカー部材を受け入れる凹みを有し、使用されない場合、ボールマーカーの一部はその凹みから突き出て、使用者がその部分を握ること、更に、その凹みからボールマーカー部材を取り出すことを可能にする。
【００６５】
本発明の詳細はこの中で述べられる。
【発明を実施するための最良の形態】
【００６６】
図１のように、凹み１０の中にボールマーカー２が位置し、端止め４、グリップ１２、レイズストリップ６がある。この装置のキャップ１６上に凹み１０が位置している。ボールマーカー２は矢印方向８でレイズストリップ６の上を滑る事により取り除かれる。レイズストリップ６、又はディンプルは、例えばゴルフバッグの輸送時にボールマーカー２が離れる事故を防いでいる。ボールマーカー２を挿入時に、それは凹み面の中にガイドされ、スロットに対してボールマーカー２を圧縮固定をさせる凹み１０の片側にあるグリップ１２により保持される。
【００６７】
この装置のピッチ修復部は指及び親指サポート２４と一つ以上の折り畳み式脚２２を含んでいる。脚２２は外側への力により跳ね、即ち先端はお互いから離れて傾く。ピッチ修復部はゴルフクラブのグリップとシャフト２０の内側にフィットし、そして、脚２２の先端が外側への傾きから起こる摩擦によりグリップ２０の内側をしっかり掴む。ゴルフクラブグリップ２０がより狭くなれば、摩擦による握りが増加し、それにより、この装置の保持力が増加する。
【００６８】
キャップ１６は引き抜きタブ１４を含み、それはゴルフクラブグリップ２０の外側周辺部２０に関して凹み、それの上面と同一平面である。キャップ１６は保持リング１８も含み、ゴルフクラブグリップ２０の中の補助溝（図示せず）を結合する事によりゴルフクラブグリップ２０の中にその装置を保持することを助ける。
【００６９】
図２を参照すると、この装置がゴルフクラブグリップ２０の中に完全にはめ込まれる時、（保持リングの上の）キャップ１６の頂部よりボールマーカー２の素早い取外し、取戻しを助けるので、ゴルフクラブグリップ２０の頂部２６は重要である。引き抜きタブ１４はゴルフクラブグリップ２０の上面２６と同一平面上にある。
【００７０】
図３（ａ）〜（ｄ）において、ゴルフクラブグリップ２０は上述より詳細に示され、内側に脚２２がフィットする穴はゴルフクラブグリップ２０の上に左右対称に設置され、脚２２はゴルフクラブシャフトは必要はなく、ゴルフクラブグリップ２０とかみ合う。スロット３０は指及び親指サポート２４、及び/又は、脚２２の挿入のために寸法を取られる。凹んだ引き抜きタブ１４はゴルフクラブグリップ２０からこの装置を簡単に引き抜くために有効である。
【００７１】
図４（ａ）、（ｂ）において、穴２８はゴルフクラブグリップの外側の角に沿って離れ、脚又は引き抜きタブは矢印３４示される様に押し込められるときに、その穴は矢印３２で示すように拡げられ、それにより、摩擦力を掛け、その装置がもっと深くゴルフクラブグリップに挿入されるように噛み合わせをより強くする。したがって、保持リング１８、又は脚の圧縮又は他の動きの必要なく保持は達成される。
【００７２】
図５においては、溝６４と溝６４に向かって傾斜している凹み１０の中の補助保持とかみ合う位置ウイング止め３６を持つ代替のボールマーカー３８が使用されている。ボールマーカーはグリップ１２により保持され、盛り上がったディンプル６はボールマーカー２が不意に離れることを防いでいる。ボールマーカー２は盛り上がったストリップ６上を滑り矢印８に示されたようにどちら側にも取外せる。
【００７３】
図６（ａ）において、修正されたピッチ修復部が脚４４と表された部分の中へ矢印４０のようにゴルフクラブグリップ開口部に向かって脚を潰して折り畳ませる蝶番４２を含んでいることを表わす。この締まりばめは保持を促進する。ピッチ修復部が（図３（ａ）の例のように）不均衡な部分の中のゴルフクラブグリップに入るとき、脚４４はゴルフクラブグリップとシャフトの空洞の中央軸に向かって折れる。その装置は使用後、横方向荷重の下で保管され、すなわち、保管時の荷重はピッチを修復する装置を使用時の荷重の方向に対して違った方向である。脚４６は最強であり他の脚４４に対して異なった角度でその装置に取り付けられ、それは使用時は最も急角度で地面に入る。
【００７４】
図６（ｂ）の様に、側面で描かれた脚は、その脚を地面の中に切れ込む又は食い込んで入れ、ピッチ修復時に過重量を避ける。
【００７５】
図７のように脚２２は指及び親指サポート２４の上の回転軸に乗せられ、脚はゴルフクラブグリップ２０の内側壁に押し付けられ折り畳まれる。脚２２の最終開口部はくい４８により制御される。指及び親指サポート２４はピッチ修復で使用時に直感的位置にあるように形作られている。指及び親指サポート２４はゴルフクラブシャフト又はグリップ２０の内側壁に対して力を掛けられる場合、表面保持力を増加する重ね板バネ５０も含んでいる。
【００７６】
図８（ａ），（ｂ）のように、修正されたピッチ修復部は補助的なゴルフクラブグリップ２０で表されている。ピッチ修復部は脚２２の上の指及び親指サポート５４を含んでおり、それは脚２２の角より快適に、使用者がゴルフクラブグリップの中に脚２２を圧入するのを補助する。ゴルフクラブグリップ２０はパターシャフト５６の中へ入るピッチ修復部受け入れるために拡大し形成されたスロット３０を持っている。
【００７７】
図９（ａ）〜（ｃ）のように、ボールマーカー部の更なる実施例は、ゴルフクラブグリップ２０と関連されて表されている。ボールマーカー３８は部分５８により表されている開口部を通過し、上述されたように保持される箇所に到達する。部分５８に隣接した側面のステップ６０は、ボールマーカー３８をスナップインさせ、それが不意に離れるのを防いでいる。
【００７８】
キャップ１６はボールマーカー３８の大きさにより制限されず、例えば、ゴルフクラブグリップの中の保持プラグは表された様にボールマーカーホルダー６２より小さいかもしれない。
【００７９】
図１０のように、脚は脚圧縮特性に顕著に影響されずに、荷重を生み出す方向の中でより厚くなる厚い部分２２aにて、より拡大した詳細図で表される。前ねじれ部２２ｂはその脚が指で圧縮されると挟みの動作を可能にする。脚の平面として指及び親指サポートのための要求を取り除く平断面２２ｃが指の上で休み、親指は自然に、２２ｂ部の上及び中間に置かれる。前ねじれ部２２ｂの捩れは平面部２２ｃをより厚い部分２２aに対して垂直にさせ、脚が圧縮された場合、平らな断面２２ｃが重なることができる。
【００８０】
他の追加機能が示されている。
ボトルオープナー  ６６、
脚を一緒に保持するためのロッキングぺグ７２と対応する保持用穴６８、
ワイヤストリッパー７０、
はさみ運動で切断を行なうナイフブレード７４、
クラブフェイスのためのねじ回し７６、爪、溝クリーナー
脚の側面のキザキザ刃７８、
爪やすり８０、
小プライズツール８２、
【００８１】
図１１においては、キャップはゴルフクラブグリップ又はシャフトの中に装置を固定するためのバネ付き保持リングと一緒に表されている。凹んだタブ１４が指の間で捻られる時、保持リング１８は縮み、装置を外させる。保持リングに与えられるバネ力は脚８４の上面８４aにより作り出され、それらは張力が掛かっており、それによりゴルフクラブグリップまたはシャフトに関連するタブ１４を外側方向にさせる。脚８４は脚２２とは別々に動き、凹みタブ１４の上の圧力による脚８４の動作が脚２２の動作を導くように、及びゴルフクラブグリップまたはシャフトに対して作り出された保持力の除去を導くように接続される。
【００８２】
図１２において、保持リング１８はゴルフクラブグリップ又はシャフトにお互いに噛み合い、及び/又はボールマーカーを保持する。保持リング１８はボールマーカーが通過する少なくとも一つの開口部１８ｂを持っており、ボールマーカーのための端末止めを備える保持リング１８の反対側１８a上で狭くなる、又は、挟まれる。保持リング１８は上述された張力下にある脚８４の折り畳まれた延長でもある。
【００８３】
図１３のように、脚１２２を含んだピッチ修復装置と指及び親指サポート２４が描かれている。ピッチ修復装置はボールマーカー２が取り付く凹み１０を含んでいる。その凹みはボールマーカー２を取り付け易くする上面縁１０８を有している。したがって、ボールマーカー２は上面エッジ１０８の角の区域に曝された小区域を除き、凹み１０により実質的に囲まれる。使用者はここでボールマーカー２に接触でき、凹み１０のエッジに対してボールマーカー２を回転させる。凹み１０の底の縁はその縁に向かって凹み１０がより浅くなるので、ボールマーカー２がその縁に接近する時凹み１０から持ち上げられ、それにより、使用者は凹み１０からボールマーカー２を取り出せる。又は、角度のついた上面エッジ１０８により形成されるぎざぎざは使用者にその縁によりボールマーカー２を握りやすくさせ、簡単に引っ張り出させる。
【００８４】
図１４に使用者が掴みやすくする真っ直ぐなぎざぎざの付いたボールマーカー２の詳細図が示されている。この例ではボールマーカーはピッチ修復装置から回転し易くするために円形である。
【００８５】
図１５に参照されるように、ゴルフクラブグリップ２０に取り付くボールマーカー２とピッチ修復装置が示されている。図１４（ａ）は凹み１０の両側の壁がピッチ修復装置により中に形成される凹み１０を表している。図１４（ｂ）はピッチ修復装置により形成される一つの壁とゴルフクラブグリップ２０により形成されるもう一方の壁が入る凹み１０を示している。ゴルフクラブグリップは一般的にゴムやその派生物から製造され、これがボールマーカー２の保持力を高めている。
【００８６】
図１６のように、ゴルフクラブはグリップ２０とシャフト５６より表されている。ピッチ修復装置の一つの脚１２２はシャフト５６の中に収まっている。他のものはグリップ２０の中の穴３０に適合し、その穴はその穴に接続するスプリットを持ち、脚が挿入された場合、シャフトはその穴３０の動きを許す。穴の直径は脚１２２が穴３０の縁から摩擦力を受けるように脚よりも僅かに小さい。穴３０は外側にグリップ３０が開くよりも内側にグリップ２０が開くように分かれおり、機構的な障害を避けている。
【００８７】
図１７を参照にすると、ピッチ修復装置は排出機構を解除し、矢印方向１２０にボールマーカーを排出させるためのボタン１１８を備えている。排出機構はバネ、磁石、レバー、その他を含み、ボールマーカーの挿入をロックオンする。
【００８８】
図１８（ａ）〜（ｃ）を参照にすると、その装置はボールマーカー２をグリップ２０の一方側から回転させて入れて、外側に回転させて出させる斜めに傾いた底面を持った凹み１０を含んでいる。その上、ボールマーカー２の保持装置はグリップ２０の突起１２３と磁石１２４を含んでいることを示している。これらの特徴は凹み１０の中のボールマーカー２の保持に作用し、それを高める。
【００８９】
図１８（ｄ）、（ｅ）を参照すると、この装置は凹み１０を含み、ここでその装置により凹みの一方が拘束され、他の一方はゴルフクラブグリップにより拘束されて、ボールマーカーが凹みの中に位置し、斜めになった底の縁対して回転して、凹み１０から転がり出る。その装置は磁石やその他ボールを保持する装置がその中に置けるように、壁に凹みを形成するために押し出ている。その押し出しはその装置の反対側に突き出し１３２を作る原因になっており、それはゴルフクラブグリップの中にその装置を固定可能にし、ゴルフクラブグリップの中で補完的な凹みとマッチングする。追加の突き出し１３４はゴルフクラブグリップの中に置かれた場合、その装置が回転するのを防いでいる。
【００９０】
図１８（ｆ）に見られるように、ボールマーカーの突き出し部の縁１３５を指で持ち、その接触でボールマーカーを回転させ凹みから出す能力は、その凹みの縁に対し、ボールマーカー２を回転させるように１３７の方向へ指を動かし、したがって、矢印１３９のようにマーカーを回転させる原因になり、矢印１４１のように凹みから外へ出させる。勿論、代替として、ボールマーカー部は握られ凹みから取り出され、ここでは二本の指が必要であるが、多数の例は必要ない。このように、ボールマーカーを回転させる能力とボールマーカーを回転させるガイドとして働く凹んだ傾きはボールマーカーを取り出すため、特に有効な方法を与える。
【００９１】
図１９を参照すると、脚１２２はグリップ中にその装置を保持することを助けるいくつかの構成を持っている。図１９（ａ）は脚１２２がゴルフクラブグリップの内側壁の摩擦を増加させるように外側に傾くというバネの構成を持つ。図１９（ｂ）にくさび１２６付きの脚１２２が描かれており、くさび１２６が下に押された場合、脚１２２が離される。図１９（ｃ）はトグル１２８を備えた脚１２２を示しており、押し下げられた場合、脚１２２を押し下げ、及び/又は、引き上げられると脚１２２を揃えさせる。
【００９２】
図１９（ｄ）は脚１２２が重なり合うように長手方向に畳まれるピッチ修復装置の斜視図を示している。これはゴルフクラブシャフトの中に両脚１２２が収まる装置の幅を減じる。
【００９３】
図２０を参照すると、ボールマーカー２は以前の図では垂直に描かれていたが、むしろピッチ修復部の折り畳み脚１２２の様に水平の外形で描かれている。ボールマーカー２は盛り上がったグリップ１２、及び/又は、その下面に据え付けられる磁石１２４により保持されている。使用中、ボールマーカー２はグリップ１２から水平方向に滑り出し、同じ方法で取り付けられる。
【００９４】
図２１を参照すると、固定脚１２２を持つピッチ修復装置が描かれており、水平方向に滑るボールマーカー２はピッチ修復装置の上方に置かれ、グリップ１２、及び/又は、磁石１２４にて設置される。グリップ２０はボールマーカー２の保持力を高めるためにボールマーカー２と重なり合い、使用者がグリップ２０からボールマーカー２を滑らせるときグリップは脇に押される。ピッチ修復装置の脚１２２はゴルフクラブのシャフト５６の中に滑り込み、ピッチ修復装置は摩擦力によりゴルフクラブグリップに確実に取り付く。
【００９５】
上述されたようなピッチ修復装置、及び/又は、ボールマーカーはその上またはその中に受入装置が取り付けられたゴルフクラブグリップよりも、ゴルフクラブの頭に同一のやり方で取り付けられることが推奨される。
【００９６】
この発明は、この装置の総合的な機能に影響をもたらさない装置に与えられる更なる付加的修正も含んでいると、当業者において理解される。
【図面の簡単な説明】
【００９７】
【図１】ゴルフクラブグリップとシャフト内取り付いたボールマーカーとピッチ修復装置の概要図。
【図２】ゴルフクラブグリップとシャフトに取り付いたボールマーカーとピッチ修復装置の外観図。
【図３】（ａ）はゴルフクラブグリップに関連し上面からのピッチ修復部のより詳細な概要図、（ｂ）はゴルフクラブグリップに関連し背面からのピッチ修復部のより詳細な概要図、（ｃ）は正面からのピッチ修復部のより詳細な概要図、（ｄ）は側面からのピッチ修復部のより詳細な概要図。
【図４】（ａ）は上面からのピッチ修復部分を握っているゴルフクラブグリップの概要図、（ｂ）は側面からのピッチ修復部分を握っているゴルフクラブグリップの概要図。
【図５】ゴルフクラブグリップに関連するボールマーカー部の第二実施例の概要図。
【図６】（ａ）はゴルフクラブグリップに関連するピッチ修復部の第二実施例の概要図、（ｂ）は脚の側面から見たピッチ修復部の第二実施例の概要図。
【図７】ゴルフクラブグリップに関連するピッチ修復部の第三実施例の概要図
【図８】（ａ）はピッチ修復部の第四実施例の概要図、（ｂ）はゴルフクラブグリップに関連するピッチ修復部の第四実施例の概要図。
【図９】（ａ）は上面からのボールマーカー部の第三実施例の概要図、（ｂ）はボールマーカー取外し角度からのボールマーカー部の第三実施例の概要図、（ｃ）は装置のキャップに関連するボールマーカー部の第三実施例の概要図。
【図１０】ピッチ修復部の第五実施例の概要図。
【図１１】（ａ）は側面からの、ゴルフクラブグリップの中にある装置の保持のための保持リングの更なる詳細図、（ｂ）は下にある脚に関連して上からの、ゴルフクラブグリップの中にある装置の保持のための保持リングの更なる詳細図。
【図１２】（ａ）は上方からの、ボールマーカー保持のための保持リングの更なる例、（ｂ）は側面からの、ボールマーカー保持のための保持リングの更なる例。
【図１３】（ａ）は上面からの、ボールマーカーとピッチ修復装置の更なる実施例の概要図、（ｂ）は側面からの、ボールマーカーとピッチ修復装置の更なる実施例の概要図、（ｃ）は正面からの、ボールマーカーとピッチ修復装置の更なる実施例の概要図。
【図１４】（ａ）は上面からの、ボールマーカーの概要図、（ｂ）は側面からの、ボールマーカーの概要図
【図１５】（ａ），（ｂ）はゴルフクラブグリップの中にある図１３に描かれたピッチ修復装置とボールマーカーの斜視図。
【図１６】（ａ）は上面からの外形線で示す図１５により描かれたピッチ修復装置とゴルフクラブグリップの相互作用、（ｂ）は正面からの外形線で示す図１５により描かれたピッチ修復装置とゴルフクラブグリップの相互作用、（ｃ）は側面からの切断を示す図１５により描かれたピッチ修復装置とゴルフクラブグリップの相互作用、（ｄ）は正面からの概要を示す図１５により描かれたピッチ修復装置とゴルフクラブグリップの相互作用。
【図１７】ボールマーカー排出部を含むピッチ修復装置の更なる実施例。
【図１８】（ａ）は本発明に伴った装置の更なる実施例の側面からの切断図、（ｂ）は本発明に伴った装置の更なる実施例の正面からの概要図、（ｃ）は本発明に伴った装置の更なる実施例の斜視図、（ｄ）は本発明に伴った装置の更なる実施例の代替形状の斜視図、（ｅ）は本発明に伴った装置の更なる実施例の側面からの代替形状、（ｆ）は本発明に伴った装置の更なる実施例の使用時の代替形式。
【図１９】（ａ）はバネの付いた、選択できる折り畳み式脚構造のピッチ修復装置、（ｂ）は楔の付いた、選択できる折り畳み式脚構造のピッチ修復装置、（ｃ）はトグルの付いた、選択できる折り畳み式脚構造のピッチ修復装置、（ｄ）はフォールディングの付いた、選択できる折り畳み式脚構造のピッチ修復装置。
【図２０】（ａ）はピッチ修復装置またはゴルフクラブグリップの上に水平に置かれたボールマーカーを中に有する装置の更なる実施例の側面からみた切断図、（ｂ）はピッチ修復装置またはゴルフクラブグリップの上に水平に置かれたボールマーカーを中に有する装置の更なる実施例の正面からの概要図、（ｃ）はピッチ修復装置またはゴルフクラブグリップの上に水平に置かれたボールマーカーを中に有する装置の更なる実施例の斜視図。
【図２１】（ａ）は固定脚ピッチ修復部を持つ水平に置かれたボールマーカーの側面からの切断図、（ｂ）は固定脚ピッチ修復部を持つ水平に置かれたボールマーカーの正面からの切断図、（ｃ）は固定脚ピッチ修復部を持つ水平に置かれたボールマーカー上面からの切断図、（ｄ）は固定脚ピッチ修復部を持つ水平に置かれたボールマーカーの斜視図。
【手続補正書】
【提出日】平成17年5月12日(2005.5.12)
【手続補正１】
【補正対象書類名】明細書
【補正対象項目名】００９７
【補正方法】変更
【補正の内容】
【００９７】
【図１】ゴルフクラブグリップとシャフト内取り付いたボールマーカーとピッチ修復装置の概要図。
【図２】ゴルフクラブグリップとシャフトに取り付いたボールマーカーとピッチ修復装置の外観図。
【図３】（ａ）はゴルフクラブグリップに関連し上面からのピッチ修復部のより詳細な概要図、（ｂ）はゴルフクラブグリップに関連し背面からのピッチ修復部のより詳細な概要図、（ｃ）は正面からのピッチ修復部のより詳細な概要図、（ｄ）は側面からのピッチ修復部のより詳細な概要図。
【図４】（ａ）は上面からのピッチ修復部分を握っているゴルフクラブグリップの概要図、（ｂ）は側面からのピッチ修復部分を握っているゴルフクラブグリップの概要図。
【図５】ゴルフクラブグリップに関連するボールマーカー部の第二実施例の概要図。
【図６】（ａ）はゴルフクラブグリップに関連するピッチ修復部の第二実施例の概要図、（ｂ）は脚の側面から見たピッチ修復部の第二実施例の概要図。
【図７】ゴルフクラブグリップに関連するピッチ修復部の第三実施例の概要図
【図８】（ａ）はピッチ修復部の第四実施例の概要図、（ｂ）はゴルフクラブグリップに関連するピッチ修復部の第四実施例の概要図。
【図９】（ａ）は上面からのボールマーカー部の第三実施例の概要図、（ｂ）はボールマーカー取外し角度からのボールマーカー部の第三実施例の概要図、（ｃ）は装置のキャップに関連するボールマーカー部の第三実施例の概要図。
【図１０】ピッチ修復部の第五実施例の概要図。
【図１１】（ａ）は側面からの、ゴルフクラブグリップの中にある装置の保持のための保持リングの更なる詳細図、（ｂ）は下にある脚に関連して上からの、ゴルフクラブグリップの中にある装置の保持のための保持リングの更なる詳細図。
【図１２】（ａ）は上方からの、ボールマーカー保持のための保持リングの更なる例、（ｂ）は側面からの、ボールマーカー保持のための保持リングの更なる例。
【図１３】（ａ）は上面からの、ボールマーカーとピッチ修復装置の更なる実施例の概要図、（ｂ）は側面からの、ボールマーカーとピッチ修復装置の更なる実施例の概要図、（ｃ）は正面からの、ボールマーカーとピッチ修復装置の更なる実施例の概要図。
【図１４】（ａ）は上面からの、ボールマーカーの概要図、（ｂ）は側面からの、ボールマーカーの概要図
【図１５】（ａ），（ｂ）はゴルフクラブグリップの中にある図１３に描かれたピッチ修復装置とボールマーカーの斜視図。
【図１６】（ａ）は上面からの外形線で示す図１５により描かれたピッチ修復装置とゴルフクラブグリップの相互作用、（ｂ）は正面からの外形線で示す図１５により描かれたピッチ修復装置とゴルフクラブグリップの相互作用、（ｃ）は側面からの切断を示す図１５により描かれたピッチ修復装置とゴルフクラブグリップの相互作用、（ｄ）は正面からの概要を示す図１５により描かれたピッチ修復装置とゴルフクラブグリップの相互作用。
【図１７】ボールマーカー排出部を含むピッチ修復装置の更なる実施例。
【図１８−１】（ａ）は本発明に伴った装置の更なる実施例の側面からの切断図、（ｂ）は本発明に伴った装置の更なる実施例の正面からの概要図、（ｃ）は本発明に伴った装置の更なる実施例の斜視図。
【図１８−２】（ｄ）は本発明に伴った装置の更なる実施例の代替形状の斜視図、（ｅ）は本発明に伴った装置の更なる実施例の側面からの代替形状、（ｆ）は本発明に伴った装置の更なる実施例の使用時の代替形式。
【図１９】（ａ）はバネの付いた、選択できる折り畳み式脚構造のピッチ修復装置、（ｂ）は楔の付いた、選択できる折り畳み式脚構造のピッチ修復装置、（ｃ）はトグルの付いた、選択できる折り畳み式脚構造のピッチ修復装置、（ｄ）はフォールディングの付いた、選択できる折り畳み式脚構造のピッチ修復装置。
【図２０】（ａ）はピッチ修復装置またはゴルフクラブグリップの上に水平に置かれたボールマーカーを中に有する装置の更なる実施例の側面からみた切断図、（ｂ）はピッチ修復装置またはゴルフクラブグリップの上に水平に置かれたボールマーカーを中に有する装置の更なる実施例の正面からの概要図、（ｃ）はピッチ修復装置またはゴルフクラブグリップの上に水平に置かれたボールマーカーを中に有する装置の更なる実施例の斜視図。
【図２１】（ａ）は固定脚ピッチ修復部を持つ水平に置かれたボールマーカーの側面からの切断図、（ｂ）は固定脚ピッチ修復部を持つ水平に置かれたボールマーカーの正面からの切断図、（ｃ）は固定脚ピッチ修復部を持つ水平に置かれたボールマーカー上面からの切断図、（ｄ）は固定脚ピッチ修復部を持つ水平に置かれたボールマーカーの斜視図。
【手続補正２】
【補正対象書類名】図面
【補正対象項目名】全図
【補正方法】変更
【補正の内容】
【図１】
2005253984.tif 000003
【図２】
2005253984.tif 000004
【図３】
2005253984.tif 000005
【図４】
2005253984.tif 000006
【図５】
2005253984.tif 000007
【図６】
2005253984.tif 000008
【図７】
2005253984.tif 000009
【図８】
2005253984.tif 000010
【図９】
2005253984.tif 000011
【図１０】
2005253984.tif 000012
【図１１】
2005253984.tif 000013
【図１２】
2005253984.tif 000014
【図１３】
2005253984.tif 000015
【図１４】
2005253984.tif 000016
【図１５】
2005253984.tif 000017
【図１６】
2005253984.tif 000018
【図１７】
2005253984.tif 000019
【図１８−１】
2005253984.tif 000020
【図１８−２】
2005253984.tif 000021
【図１９】
2005253984.tif 000022
【図２０】
2005253984.tif 000023
【図２１】
2005253984.tif 000024
【手続補正書】
【提出日】平成17年6月9日(2005.6.9)
【手続補正１】
【補正対象書類名】明細書
【補正対象項目名】全文
【補正方法】変更
【補正の内容】
【発明の詳細な説明】
【技術分野】
【０００１】
この出願の発明はピッチ修復装置のような一つ以上の一体的アクセサリーを備えたゴルフクラブに取り付けるに適したボールマーカーホルダーである。
【０００２】
以下の記述は主としてゴルフゲーム中のピッチ修復装置とボールマーカーに関したものであるが、この発明はいかなる種類の場合において使用可能なものであり、本発明はゴルフゲームに限定されるものではないという事が当業者により理解される。
【背景技術】
【０００３】
ゴルフゲームのアクセサリーはドライブティー、パッティングエイド、手押し車のような物が公知である。
【０００４】
ピッチ修復装置はボール着地による地面のぎざぎざを修復するために使用される。一般的に、現在は固定型フォーク形状であり、そのフォークは傷ついた箇所に近い地中に挿入され、その凹みを概ね平らな状態に戻すために使用される。そういう行動は良い修復状態にゴルフコースを準備する事に寄与する。
【０００５】
ゴルフゲームではこの場合でなくても、プレーヤーにとってボールが穴から遠く離れてしまうことはよくある事である。たまに、穴に接近した場合やより遠いボールのライン上にある場合、二つのボールの衝突を避けるため、他のプレーヤーのゴルフボールを移動することが必要である。ボールの場所がゴルフの試合に影響ある場合、ボールの位置を示すために臨時でマーカーが使用される。これらは普通、小円形であるが、他の形状と構成でも良い。衝突の危険が過ぎたら、ボールは所定位置に戻される。
【発明の開示】
【発明が解決しようとする課題】
【０００６】
一般的に、ピッチ修復装置とボールマーカー装置はそれぞれ別々のアクセサリーであり、それらはプレーヤーのポケットまたはゴルフカート中でルーズ運ばれる。しかしながら、ピッチ修復装置はかさばるので、プレーヤーが運ぶのは幾分、不快である。さらに言うと、ボールマーカー装置が小さい過ぎるとそれらは置き忘れられる。したがって、どの装置もゴルフの試合中プレーヤーは容易に取り扱えない。
【０００７】
この発明の目的はピッチ修復装置とボールマーカー機能を含んでゴルフゲームの間、プレーヤーが使用できる装置を供給することである。
【課題を解決するための手段】
【０００８】
この発明の最初の態様として、ボールマーカー部材の保管のための位置を含み、それがその中に存在する場合、そのボールマーカー部分はその位置からそのボールマーカーを取り除くために握ること、及び/又は、その位置の縁に対して回転させることができる。
【０００９】
一つの実施例として、ピッチ修復部が備えられている。代表例として、ピッチ修復部は一つ以上の脚、及び/又は、指及び親指サポートを含んでいる。
【００１０】
一つの実施例として、その位置は凹みであり、ここの中での凹みに対する参照は解説するための目的であり、発明の範囲を限定するように解釈されてはならない。
【００１１】
一つの実施例として、その凹みの下の縁はピッチ修復部の縁により定義される。
【００１２】
好ましくは、その装置はゴルフクラブへ選択して設置することができ、そのゴルフクラブは頭部、シャフト部、及び/又は、グリップを備え、少なくともそのピッチ修復部の部分はゴルフクラブの上に形成されるまたはゴルフクラブに取り付けられる範囲内で受け入れられる。
【００１３】
一つの実施例として、設置位置はゴルフクラブグリップの端部に備えられる。代替の実施例として、取り付け場所は頭部の内部又は頂部である。更なる実施例として、その装置は、ゴルフクラブグリップの内部に少なくともその装置の一部に、保持するための保持装置を含んでいる。
【００１４】
一つの実施例として、ボールマーカーはピッチ修復部の内部または頂部に設置することができ、したがって、ゴルフクラブグリップの頂部に設置される。
【００１５】
一つの実施例として、保持装置は脚に取り付く、傾いた装置であり、その脚はゴルフクラブグリップの内壁または頭部に相互に噛み合っている。
【００１６】
好ましくは、保持装置はゴルフクラブグリップ、及び/又は、グリップの内壁に相互に噛み合う一つ以上の保持リングまたは突起を含んでいる。
【００１７】
一般的に、ゴルフクラブグリップは相互に噛み合うために溝たはノッチのような、その装置に対する補助的な保持装置を含む。
【００１８】
好ましくは、傾いた装置はいかなるバネ、楔、トグル、及び/又は、その他またはいかなる結合であっても良い。
【００１９】
一つの実施例として、開いた位置に脚を傾けるために、閉じた蝶番に繋がる楔またはリングに力が適応される。
【００２０】
さらなる実施例により、脚はバネにより開いた位置まで傾けられ、閉じた位置で脚に囲まれたリングはバネで脚を広げさせるために移動される。
【００２１】
好ましくは、凹みは一つの縁において中央部より浅いように凹みの角が形成される。
【００２２】
好ましくは、凹みの底はボールマーカーの保持を高めるため凹みの頂部より狭い。
【００２３】
好ましくは、ピッチ修復部はゴルフクラブグリップ中に垂直であるスロットの中に部分的に位置し、ボールマーカーはピッチ修復部の中の垂直な凹みの中に位置する。
【００２４】
更なる実施例において、ボールマーカーはゴルフクラブグリップ中に形成される凹みの中に位置する。
【００２５】
好ましくは、ボールマーカーは実質的に平らで円形であり、ぎざぎざが付いた縁を持つ。
【００２６】
ひとつの実施例において、ボールマーカーはバネ座金であり、バネにより働く力はボールマーカーを摩擦により凹みの中に保持する。
【００２７】
好ましくは、ゴルフクラブグリップの凹みはゴルフクラブグリップの縁まで伸びる。
【００２８】
したがって、凹みの中にボールマーカーが置かれる時は、小さい突起を持つだけで、外観上実質的に隠れる。使用者はボールマーカーとかみ合わせるために、ゴルフクラブグリップの端部の上で指を動かし、ゴルフクラブグリップの角に対してボールマーカーを回転させる。凹みはゴルフクラブグリップの角に向かって浅くなるので、ボールマーカーがより露出され、使用者が凹みからボールマーカーを取り出すのを助ける。ひとつの実施例において、凹みは交代でグリップ中に位置する品物にて形成される。
【００２９】
好ましくは、ボールマーカーは磁石に付くように鉄製である。
【００３０】
好ましくは、ボールマーカーは端止め、スプリンググリップ、磁石、側面ステップ、摩擦、及び/又はキャップ及び/又はボールマーカー及び/又はゴルフクラブグリップの盛り上がり部又はその組合せを含む保持装置により保持され、直接、ゴルフクラブグリップ又はピッチ修復部の中で結合した装置を形作る。
【００３１】
ボールマーカーは中央にゴルフクラブグリップと補助保持装置の盛り上がり部とかみ合う穴を持っていてもよい。
【００３２】
一実施例において、盛り上がったストリップまたは側面ステップは滑らす事によりボールマーカーが取り出されるように十分に低く、ボールマーカーが不意に離れるのを防止するために十分高い。
【００３３】
ボールマーカーは使用者が親指でボールマーカーの頂部を滑らせ、ボールマーカーに接触し、回転させる事により凹みから簡単に取り外せる。この水平方向の動作は使用者に取り都合が良い。
【００３４】
一実施例において、その装置は引き抜きタブを含み、ゴルフクラブグリップの外側周辺部に対して同一平面さか凹んでおり、そして、それの頂部に対して同一平面である。
【００３５】
引き抜きタブはグリップからその装置の取り外しを促進し、それらが凹みに置かれると、それらは他のクラブや物の邪魔せずまたはぶつからず、それにより、不意にその装置から離れるのを防ぐ。
【００３６】
一実施例において、引き抜きタブはその装置をゴルフクラブグリップにロックするためのロック機構と接続しており、引き抜きタブを強く握る事によりロック機構を解除させ、ゴルフクラブグリップ及び/又はグリップからその装置を取外させる。
【００３７】
一般的に、保持装置はロック機構の少なくとも一部を形成する。
【００３８】
一般的に、ロック機構は張力の掛かった脚により与えられる力によるロックされた状態に対して傾いている。
【００３９】
引き抜きタブに接続して、この力を与える脚の動きは、ゴルフクラブグリップまたはシャフトに直接保持力を与える脚の動きの原因になる。
【００４０】
一実施例において、ロック機構の少なくとも一部は張力の掛かった脚の伸長により形成させる。
【００４１】
更なる実施例において、ボールマーカー保持装置は、ロック機構の一部を形成する。
【００４２】
更なる実施例において、ゴルフクラブグリップ又はピッチ修復部は凹みからボールマーカーが排出する排出機構を含んでいる。
【００４３】
好ましくは、排出機構はボタン、バネ、ノブ、磁石、及び/又はその他同種の物又は、その組合せを含んでいる。
【００４４】
選択的実施例により、ボールマーカーはゴルフクラブの頭部の凹み内に位置し、前述のように保持される。
【００４５】
一実施例において、脚、及び/又は、指及び親指サポート、及び/又は、かみ合いタブはゴルフクラブグリップの頂部の穴、及び/又は、スロットとお互い噛み合う。
【００４６】
もう一つの実施例において、摩擦力を供給する装置の一部の挿入により広げられる様に割れている。
【００４７】
一般的に、パターのシャフトはピッチ修復部のために与えられる空間を最大にするために楕円形である。
【００４８】
一実施例において、脚と指及び親指サポートはオープン位置とクローズ位置間で動きが可能である。一方、脚、及び/又は、指及び親指サポートは固定されている。
【００４９】
好ましくは、脚、及び/又は、指及び親指サポートは脚及び/又はの端部に蝶番で接続される。または、挟みの動作をする様に、中央の周りに蝶番にて動くように取り付けられる。あるいは、更に脚と指及び親指サポートは重なり合うようにその縁で蝶番として取り付く。
【００５０】
更なる実施例において、脚が潰れてゴルフクラブグリップ開口部に向かって折り畳まれ、蝶番としてその装置に接続される。
【００５１】
脚はゴルフクラブシャフト、及び/又は、グリップの内側表面で邪魔し合うことにより、保持力を高める。
【００５２】
一実施例において、脚は引き抜きタブの動作によりゴルフクラブグリップの内側表面に邪魔にならないように折り畳まれる。
【００５３】
一般的に、脚はピッチ修復の間、過重を防ぐための断面を有する。
【００５４】
更なる実施例において、脚は指及び親指サポート上の中心に置かれる。
【００５５】
一般的に、この装置は最終開脚位置を制御する装置を含む。
【００５６】
一般的に、その装置はその装置とゴルフクラブグリップ又はシャフトの内壁間の摩擦力を作り出す傾斜した装置を含んでいる。
【００５７】
更なる実施例において、指及び親指サポートはゴルフクラブグリップ又はシャフトの中にその装置を挿入するために圧縮を補助する脚の上に置かれる。
【００５８】
代替の実施例において、脚はその自由端が他端に対し、実質的に垂直になるように捻られる。これは挟みの動作にて、自由端が重なり合わせされ、指及び親指サポートの脚の部分を平坦な形状にする。
【００５９】
圧縮特性に顕著に影響されず、荷重を生み出す方向にて、脚はより厚くなる。
【００６０】
一般的に、ピッチ修復部は栓抜き、脚固定釘と保持穴、ワイヤーストリッパー、はさみ運動する脚のナイフの刃、ねじ回し、クラブ面のための釘又は溝クリーナー、キザキザ刃、爪やすり、ブーツ鋲取り除き用具、てこ、またはその組合せを含んでも良い。
【００６１】
この発明の第二の様態において、ゴルフクラブシャフトに取り付けるグリップが備えられ、ゴルフアクセサリー装置のための位置する場所を含み、そのゴルフアクセサリーはボールマーカーを受け入れることができる部分を含み、その中においてその装置はグリップとゴルフクラブシャフトとかみ合う保持装置を含んでいる。
【００６２】
この発明の第三の様態において、キャップ、本体及びピッチ修復部として働く少なくともひとつの脚を持つゴルフアクセサリー装置が与えられ、その中において、キャップはボールマーカーを受け入れる、及び/又は、ボールマーカー部材が使用されていない場合、ボールマーカー部材を位置させる凹みを含んでいる。
【００６３】
一般的に、ボールマーカーは使用者により凹みから滑り出させることができる。
【００６４】
本発明の第四の様態により、ゴルフアクセサリー装置は少なくとも部分的にボールマーカー部材を受け入れる凹みを有し、使用されない場合、ボールマーカーの一部はその凹みから突き出て、使用者がその部分を握ること、更に、その凹みからボールマーカー部材を取り出すことを可能にする。
【００６５】
本発明の詳細はこの中で述べられる。
【発明を実施するための最良の形態】
【００６６】
図１のように、凹み１０の中にボールマーカー２が位置し、端止め４、グリップ１２、レイズストリップ６がある。この装置のキャップ１６上に凹み１０が位置している。ボールマーカー２は矢印方向８でレイズストリップ６の上を滑る事により取り除かれる。レイズストリップ６、又はディンプルは、例えばゴルフバッグの輸送時にボールマーカー２が離れる事故を防いでいる。ボールマーカー２を挿入時に、それは凹み面の中にガイドされ、スロットに対してボールマーカー２を圧縮固定をさせる凹み１０の片側にあるグリップ１２により保持される。
【００６７】
この装置のピッチ修復部は指及び親指サポート２４と一つ以上の折り畳み式脚２２を含んでいる。脚２２は外側への力により跳ね、即ち先端はお互いから離れて傾く。ピッチ修復部はゴルフクラブのグリップとシャフト２０の内側にフィットし、そして、脚２２の先端が外側への傾きから起こる摩擦によりグリップ２０の内側をしっかり掴む。ゴルフクラブグリップ２０がより狭くなれば、摩擦による握りが増加し、それにより、この装置の保持力が増加する。
【００６８】
キャップ１６は引き抜きタブ１４を含み、それはゴルフクラブグリップ２０の外側周辺部２０に関して凹み、それの上面と同一平面である。キャップ１６は保持リング１８も含み、ゴルフクラブグリップ２０の中の補助溝（図示せず）を結合する事によりゴルフクラブグリップ２０の中にその装置を保持することを助ける。
【００６９】
図２を参照すると、この装置がゴルフクラブグリップ２０の中に完全にはめ込まれる時、（保持リングの上の）キャップ１６の頂部よりボールマーカー２の素早い取外し、取戻しを助けるので、ゴルフクラブグリップ２０の頂部２６は重要である。引き抜きタブ１４はゴルフクラブグリップ２０の上面２６と同一平面上にある。
【００７０】
図３（ａ）〜（ｄ）において、ゴルフクラブグリップ２０は上述より詳細に示され、内側に脚２２がフィットする穴はゴルフクラブグリップ２０の上に左右対称に設置され、脚２２はゴルフクラブシャフトは必要はなく、ゴルフクラブグリップ２０とかみ合う。スロット３０は指及び親指サポート２４、及び/又は、脚２２の挿入のために寸法を取られる。凹んだ引き抜きタブ１４はゴルフクラブグリップ２０からこの装置を簡単に引き抜くために有効である。
【００７１】
図４（ａ）、（ｂ）において、穴２８はゴルフクラブグリップの外側の角に沿って離れ、脚又は引き抜きタブは矢印３４示される様に押し込められるときに、その穴は矢印３２で示すように拡げられ、それにより、摩擦力を掛け、その装置がもっと深くゴルフクラブグリップに挿入されるように噛み合わせをより強くする。したがって、保持リング１８、又は脚の圧縮又は他の動きの必要なく保持は達成される。
【００７２】
図５においては、溝６４と溝６４に向かって傾斜している凹み１０の中の補助保持とかみ合う位置ウイング止め３６を持つ代替のボールマーカー３８が使用されている。ボールマーカーはグリップ１２により保持され、盛り上がったディンプル６はボールマーカー２が不意に離れることを防いでいる。ボールマーカー２は盛り上がったストリップ６上を滑り矢印８に示されたようにどちら側にも取外せる。
【００７３】
図６（ａ）において、修正されたピッチ修復部が脚４４と表された部分の中へ矢印４０のようにゴルフクラブグリップ開口部に向かって脚を潰して折り畳ませる蝶番４２を含んでいることを表わす。この締まりばめは保持を促進する。ピッチ修復部が（図３（ａ）の例のように）不均衡な部分の中のゴルフクラブグリップに入るとき、脚４４はゴルフクラブグリップとシャフトの空洞の中央軸に向かって折れる。その装置は使用後、横方向荷重の下で保管され、すなわち、保管時の荷重はピッチを修復する装置を使用時の荷重の方向に対して違った方向である。脚４６は最強であり他の脚４４に対して異なった角度でその装置に取り付けられ、それは使用時は最も急角度で地面に入る。
【００７４】
図６（ｂ）の様に、側面で描かれた脚は、その脚を地面の中に切れ込む又は食い込んで入れ、ピッチ修復時に過重量を避ける。
【００７５】
図７のように脚２２は指及び親指サポート２４の上の回転軸に乗せられ、脚はゴルフクラブグリップ２０の内側壁に押し付けられ折り畳まれる。脚２２の最終開口部はくい４８により制御される。指及び親指サポート２４はピッチ修復で使用時に直感的位置にあるように形作られている。指及び親指サポート２４はゴルフクラブシャフト又はグリップ２０の内側壁に対して力を掛けられる場合、表面保持力を増加する重ね板バネ５０も含んでいる。
【００７６】
図８（ａ），（ｂ）のように、修正されたピッチ修復部は補助的なゴルフクラブグリップ２０で表されている。ピッチ修復部は脚２２の上の指及び親指サポート５４を含んでおり、それは脚２２の角より快適に、使用者がゴルフクラブグリップの中に脚２２を圧入するのを補助する。ゴルフクラブグリップ２０はパターシャフト５６の中へ入るピッチ修復部受け入れるために拡大し形成されたスロット３０を持っている。
【００７７】
図９（ａ）〜（ｃ）のように、ボールマーカー部の更なる実施例は、ゴルフクラブグリップ２０と関連されて表されている。ボールマーカー３８は部分５８により表されている開口部を通過し、上述されたように保持される箇所に到達する。部分５８に隣接した側面のステップ６０は、ボールマーカー３８をスナップインさせ、それが不意に離れるのを防いでいる。
【００７８】
キャップ１６はボールマーカー３８の大きさにより制限されず、例えば、ゴルフクラブグリップの中の保持プラグは表された様にボールマーカーホルダー６２より小さいかもしれない。
【００７９】
図１０のように、脚は脚圧縮特性に顕著に影響されずに、荷重を生み出す方向の中でより厚くなる厚い部分２２aにて、より拡大した詳細図で表される。前ねじれ部２２ｂはその脚が指で圧縮されると挟みの動作を可能にする。脚の平面として指及び親指サポートのための要求を取り除く平断面２２ｃが指の上で休み、親指は自然に、２２ｂ部の上及び中間に置かれる。前ねじれ部２２ｂの捩れは平面部２２ｃをより厚い部分２２aに対して垂直にさせ、脚が圧縮された場合、平らな断面２２ｃが重なることができる。
【００８０】
他の追加機能が示されている。
ボトルオープナー  ６６、
脚を一緒に保持するためのロッキングぺグ７２と対応する保持用穴６８、
ワイヤストリッパー７０、
はさみ運動で切断を行なうナイフブレード７４、
クラブフェイスのためのねじ回し７６、爪、溝クリーナー
脚の側面のキザキザ刃７８、
爪やすり８０、
小プライズツール８２、
【００８１】
図１１においては、キャップはゴルフクラブグリップ又はシャフトの中に装置を固定するためのバネ付き保持リングと一緒に表されている。凹んだタブ１４が指の間で捻られる時、保持リング１８は縮み、装置を外させる。保持リングに与えられるバネ力は脚８４の上面８４aにより作り出され、それらは張力が掛かっており、それによりゴルフクラブグリップまたはシャフトに関連するタブ１４を外側方向にさせる。脚８４は脚２２とは別々に動き、凹みタブ１４の上の圧力による脚８４の動作が脚２２の動作を導くように、及びゴルフクラブグリップまたはシャフトに対して作り出された保持力の除去を導くように接続される。
【００８２】
図１２において、保持リング１８はゴルフクラブグリップ又はシャフトにお互いに噛み合い、及び/又はボールマーカーを保持する。保持リング１８はボールマーカーが通過する少なくとも一つの開口部１８ｂを持っており、ボールマーカーのための端末止めを備える保持リング１８の反対側１８a上で狭くなる、又は、挟まれる。保持リング１８は上述された張力下にある脚８４の折り畳まれた延長でもある。
【００８３】
図１３のように、脚１２２を含んだピッチ修復装置と指及び親指サポート２４が描かれている。ピッチ修復装置はボールマーカー２が取り付く凹み１０を含んでいる。その凹みはボールマーカー２を取り付け易くする上面縁１０８を有している。したがって、ボールマーカー２は上面エッジ１０８の角の区域に曝された小区域を除き、凹み１０により実質的に囲まれる。使用者はここでボールマーカー２に接触でき、凹み１０のエッジに対してボールマーカー２を回転させる。凹み１０の底の縁はその縁に向かって凹み１０がより浅くなるので、ボールマーカー２がその縁に接近する時凹み１０から持ち上げられ、それにより、使用者は凹み１０からボールマーカー２を取り出せる。又は、角度のついた上面エッジ１０８により形成されるぎざぎざは使用者にその縁によりボールマーカー２を握りやすくさせ、簡単に引っ張り出させる。
【００８４】
図１４に使用者が掴みやすくする真っ直ぐなぎざぎざの付いたボールマーカー２の詳細図が示されている。この例ではボールマーカーはピッチ修復装置から回転し易くするために円形である。
【００８５】
図１５に参照されるように、ゴルフクラブグリップ２０に取り付くボールマーカー２とピッチ修復装置が示されている。図１４（ａ）は凹み１０の両側の壁がピッチ修復装置により中に形成される凹み１０を表している。図１４（ｂ）はピッチ修復装置により形成される一つの壁とゴルフクラブグリップ２０により形成されるもう一方の壁が入る凹み１０を示している。ゴルフクラブグリップは一般的にゴムやその派生物から製造され、これがボールマーカー２の保持力を高めている。
【００８６】
図１６のように、ゴルフクラブはグリップ２０とシャフト５６より表されている。ピッチ修復装置の一つの脚１２２はシャフト５６の中に収まっている。他のものはグリップ２０の中の穴３０に適合し、その穴はその穴に接続するスプリットを持ち、脚が挿入された場合、シャフトはその穴３０の動きを許す。穴の直径は脚１２２が穴３０の縁から摩擦力を受けるように脚よりも僅かに小さい。穴３０は外側にグリップ３０が開くよりも内側にグリップ２０が開くように分かれおり、機構的な障害を避けている。
【００８７】
図１７を参照にすると、ピッチ修復装置は排出機構を解除し、矢印方向１２０にボールマーカーを排出させるためのボタン１１８を備えている。排出機構はバネ、磁石、レバー、その他を含み、ボールマーカーの挿入をロックオンする。
【００８８】
図１８（ａ）〜（ｃ）を参照にすると、その装置はボールマーカー２をグリップ２０の一方側から回転させて入れて、外側に回転させて出させる斜めに傾いた底面を持った凹み１０を含んでいる。その上、ボールマーカー２の保持装置はグリップ２０の突起１２３と磁石１２４を含んでいることを示している。これらの特徴は凹み１０の中のボールマーカー２の保持に作用し、それを高める。
【００８９】
図１８（ｄ）、（ｅ）を参照すると、この装置は凹み１０を含み、ここでその装置により凹みの一方が拘束され、他の一方はゴルフクラブグリップにより拘束されて、ボールマーカーが凹みの中に位置し、斜めになった底の縁対して回転して、凹み１０から転がり出る。その装置は磁石やその他ボールを保持する装置がその中に置けるように、壁に凹みを形成するために押し出ている。その押し出しはその装置の反対側に突き出し１３２を作る原因になっており、それはゴルフクラブグリップの中にその装置を固定可能にし、ゴルフクラブグリップの中で補完的な凹みとマッチングする。追加の突き出し１３４はゴルフクラブグリップの中に置かれた場合、その装置が回転するのを防いでいる。
【００９０】
図１８（ｆ）に見られるように、ボールマーカーの突き出し部の縁１３５を指で持ち、その接触でボールマーカーを回転させ凹みから出す能力は、その凹みの縁に対し、ボールマーカー２を回転させるように１３７の方向へ指を動かし、したがって、矢印１３９のようにマーカーを回転させる原因になり、矢印１４１のように凹みから外へ出させる。勿論、代替として、ボールマーカー部は握られ凹みから取り出され、ここでは二本の指が必要であるが、多数の例は必要ない。このように、ボールマーカーを回転させる能力とボールマーカーを回転させるガイドとして働く凹んだ傾きはボールマーカーを取り出すため、特に有効な方法を与える。
【００９１】
図１９を参照すると、脚１２２はグリップ中にその装置を保持することを助けるいくつかの構成を持っている。図１９（ａ）は脚１２２がゴルフクラブグリップの内側壁の摩擦を増加させるように外側に傾くというバネの構成を持つ。図１９（ｂ）にくさび１２６付きの脚１２２が描かれており、くさび１２６が下に押された場合、脚１２２が離される。図１９（ｃ）はトグル１２８を備えた脚１２２を示しており、押し下げられた場合、脚１２２を押し下げ、及び/又は、引き上げられると脚１２２を揃えさせる。
【００９２】
図１９（ｄ）は脚１２２が重なり合うように長手方向に畳まれるピッチ修復装置の斜視図を示している。これはゴルフクラブシャフトの中に両脚１２２が収まる装置の幅を減じる。
【００９３】
図２０を参照すると、ボールマーカー２は以前の図では垂直に描かれていたが、むしろピッチ修復部の折り畳み脚１２２の様に水平の外形で描かれている。ボールマーカー２は盛り上がったグリップ１２、及び/又は、その下面に据え付けられる磁石１２４により保持されている。使用中、ボールマーカー２はグリップ１２から水平方向に滑り出し、同じ方法で取り付けられる。
【００９４】
図２１を参照すると、固定脚１２２を持つピッチ修復装置が描かれており、水平方向に滑るボールマーカー２はピッチ修復装置の上方に置かれ、グリップ１２、及び/又は、磁石１２４にて設置される。グリップ２０はボールマーカー２の保持力を高めるためにボールマーカー２と重なり合い、使用者がグリップ２０からボールマーカー２を滑らせるときグリップは脇に押される。ピッチ修復装置の脚１２２はゴルフクラブのシャフト５６の中に滑り込み、ピッチ修復装置は摩擦力によりゴルフクラブグリップに確実に取り付く。
【００９５】
上述されたようなピッチ修復装置、及び/又は、ボールマーカーはその上またはその中に受入装置が取り付けられたゴルフクラブグリップよりも、ゴルフクラブの頭に同一のやり方で取り付けられることが推奨される。
【００９６】
この発明は、この装置の総合的な機能に影響をもたらさない装置に与えられる更なる付加的修正も含んでいると、当業者において理解される。
【外国語明細書】
2005253984.tif 000025
2005253984.tif 000026
2005253984.tif 000027
2005253984.tif 000028
2005253984.tif 000029
2005253984.tif 000030
2005253984.tif 000031
2005253984.tif 000032
2005253984.tif 000033
2005253984.tif 000034
2005253984.tif 000035
2005253984.tif 000036
2005253984.tif 000037
2005253984.tif 000038
2005253984.tif 000039
2005253984.tif 000040
2005253984.tif 000041
2005253984.tif 000042
2005253984.tif 000043
2005253984.tif 000044
2005253984.tif 000045
2005253984.tif 000046
2005253984.tif 000047
2005253984.tif 000048
2005253984.tif 000049
2005253984.tif 000050
2005253984.tif 000051
【図１】
2005253984.tif 000052
【図２】
2005253984.tif 000053
【図３】
2005253984.tif 000054
【図４】
2005253984.tif 000055
【図５】
2005253984.tif 000056
【図６】
2005253984.tif 000057
【図７】
2005253984.tif 000058
【図８】
2005253984.tif 000059
【図９】
2005253984.tif 000060
【図１０】
2005253984.tif 000061
【図１１】
2005253984.tif 000062
【図１２】
2005253984.tif 000063
【図１３】
2005253984.tif 000064
【図１４】
2005253984.tif 000065
【図１５】
2005253984.tif 000066
【図１６】
2005253984.tif 000067
【図１７】
2005253984.tif 000068
【図１８】
2005253984.tif 000069
【図１９】
2005253984.tif 000070
【図２０】
2005253984.tif 000071
【図２１】
2005253984.tif 000072